(57)【要約】【課題】弁体の被装着部分への組み付け精度を容易且つ確実に安定させること。【解決手段】振動発生部及び振動受部のいずれか一方に連結される外筒、及び他方に連結される内筒と、これらの両筒を弾性的に連結する弾性体と、外筒内の液室を、弾性体を壁面の一部とする一方側の主液室１７と他方側の副液室とに区画する仕切部材１６と、を備えると共に、これらの両液室を連通する制限通路２２が形成された装置であって、外筒の内部には、長さ方向の一端が固定端とされ、他端が主液室若しくは副液室の液圧を受けることで弾性的に撓み変形する弁体２８が配設され、この弁体の長さ方向の一端は、外筒の内部に形成された被装着部分３０に固定され、弁体及び被装着部分それぞれにおいて、互いに当接する各表面３２、３３が平坦面に形成されている防振装置を提供する。【選択図】図２
2010116962.tif 000002
【特許請求の範囲】
【請求項１】
振動発生部及び振動受部のいずれか一方に連結される外筒、及び他方に連結される内筒と、
これらの両筒を弾性的に連結する弾性体と、
前記外筒内の液室を、前記弾性体を壁面の一部とする一方側の主液室と他方側の副液室とに区画する仕切部材と、を備えると共に、
これらの両液室を連通する制限通路が形成された液体封入型の防振装置であって、
前記外筒の内部には、長さ方向の一端が固定端とされ、他端が前記主液室若しくは前記副液室の液圧を受けることで弾性的に撓み変形する弁体が配設され、
この弁体の長さ方向の一端は、前記外筒の内部に形成された被装着部分に固定され、
前記弁体及び前記被装着部分それぞれにおいて、互いに当接する各表面が平坦面に形成されていることを特徴とする防振装置。
【請求項２】
請求項１に記載の防振装置において、
前記弁体は、前記主液室の液圧が上昇する方向に荷重が入力された場合に、前記制限通路を狭窄しうるように撓み変形することを特徴とする防振装置。
【請求項３】
請求項２に記載の防振装置において、
前記仕切部材には、筒状の仕切部材本体が備えられ、
前記制限通路は、前記仕切部材本体の外周面に形成されると共にその周方向に沿って延在し、
前記主液室及び前記副液室に各別に開口する前記制限通路の両端開口部のうちの少なくとも一端側の開口部は、前記主液室側に開口し、
前記被装着部分は、前記仕切部材本体において前記制限通路の一端側の開口部に前記制限通路の流路方向に沿った副液室側から連なる部分に位置していることを特徴とする防振装置。
【請求項４】
請求項１から３のいずれか１項に記載の防振装置において、
前記弁体は、この弁体及び前記被装着部分を該弁体の板厚方向の両側から挟みこむ固定部材により前記被装着部分に固定され、
前記弁体及び前記被装着部分それぞれにおいて、前記表面と反対側の裏面が平坦面に形成されていることを特徴とする防振装置。
【請求項５】
請求項４に記載の防振装置において、
前記固定部材は、リベットであることを特徴とする防振装置。
【発明の詳細な説明】
【技術分野】
【０００１】
本発明は、例えば自動車や産業機械等に適用され、エンジン等の振動発生部の振動を吸収及び減衰する防振装置に関する。
【背景技術】
【０００２】
この種の防振装置として、下記特許文献１に示されるように、振動発生部及び振動受部のいずれか一方に連結される外筒、及び他方に連結される内筒と、これらの両筒を弾性的に連結する弾性体と、外筒内の液室を、弾性体を壁面の一部とする一方側の主液室と他方側の副液室とに区画する仕切部材と、を備える構成が知られている。
この仕切部材には、主液室と副液室とを連通する制限通路が形成されており、振動が入力された際に、液室内に封入された液体が制限通路を通って主液室と副液室との間で往来する。そして、制限通路を流通する液体に液柱共振が生じて振動が減衰される。
【０００３】
また、この仕切部材には、主液室に開口する制限通路の主液室側連通口から、制限通路の流路方向に沿って副液室側に離れた位置に、制限通路と主液室とを連通する途中開口が形成されていると共に、この途中開口を開閉する弁体が設けられている。この弁体は、弓形に湾曲された板バネであり、その長さ方向の一方側が、仕切部材の被装着部分に固定されている。なお、弁体及び被装着部分それぞれにおいて、互いに当接する各表面がいずれも曲面に形成されている。
この防振装置では、振動入力時における液室の液圧を受けた弁体が弾性変形することにより途中開口が開閉され、制限通路の流路長が変化される。
【特許文献１】特開２００７−２３９８２４号公報
【発明の開示】
【発明が解決しようとする課題】
【０００４】
しかしながら、前記従来の防振装置では、弁体及び被装着部分の前記各表面がいずれも曲面に形成されているので、弁体の被装着部分への組み付け精度を安定させるのが困難で、弁体が被装着部分に対してがたついてしまい、例えば弁体が撓み変形したときの姿勢が安定しなくなる等の恐れがあった。
なお、弁体を被装着部分に精度良く組み付けるためには、前記各表面の曲率半径を高精度に等しく形成する必要があるが、一般に曲面を高精度に形成するのは困難である。
【０００５】
本発明は、上述した事情に鑑みてなされたものであって、その目的は、弁体の被装着部分への組み付け精度を容易且つ確実に安定させることができる防振装置を提供することである。
【課題を解決するための手段】
【０００６】
上記課題を解決するために、本発明は以下の手段を提案している。
本発明に係る防振装置は、振動発生部及び振動受部のいずれか一方に連結される外筒、及び他方に連結される内筒と、これらの両筒を弾性的に連結する弾性体と、前記外筒内の液室を、前記弾性体を壁面の一部とする一方側の主液室と他方側の副液室とに区画する仕切部材と、を備えると共に、これらの両液室を連通する制限通路が形成された液体封入型の防振装置であって、前記外筒の内部には、長さ方向の一端が固定端とされ、他端が前記主液室若しくは前記副液室の液圧を受けることで弾性的に撓み変形する弁体が配設され、この弁体の長さ方向の一端は、前記外筒の内部に形成された被装着部分に固定され、前記弁体及び前記被装着部分それぞれにおいて、互いに当接する各表面が平坦面に形成されていることを特徴とするものである。
【０００７】
本発明に係る防振装置によれば、弁体及び被装着部分の前記各表面がいずれも平坦面に形成されているので、弁体の被装着部分への組み付け精度を容易かつ確実に安定させることができる。従って、弁体が被装着部分に対してがたつくのを抑制することが可能になり、弁体が撓み変形したときの姿勢を長期に亘って安定させることができる。
【０００８】
また、本発明に係る防振装置では、前記弁体は、前記主液室の液圧が上昇する方向に荷重が入力された場合に、前記制限通路を狭窄しうるように撓み変形することが好ましい。
【０００９】
この場合、防振装置に主液室の液圧を上昇させる方向の荷重（以下「正荷重」と称する）が入力されて弁体が制限通路を狭窄すると、制限通路の流路抵抗が増加するので、制限通路が目詰まりした状態になる。その結果、主液室から制限通路に液体が流入し難くなり、主液室内の正圧が大きくなる。このためその後、主液室の液圧が下降する方向の荷重（以下「負荷重」と称する）が入力されたとしても、主液室内の負圧が大きくなるのを抑えることが可能となり、主液室の液体の一部が気化して気泡が発生するキャビテーションが生じるのを抑制することができる。
また、弁体が制限通路を閉塞することなく狭窄するので、この弁体が別部材に衝突することがなく、この衝突に起因した異音の発生及び弁体の被装着部分に対するがたつきの発生を防ぐことができる。
また、弁体の撓み変形時の姿勢が安定することから、弁体による制限通路に対する狭窄の程度を安定させることが可能となり、弁体が制限通路を狭窄する液圧を高精度にすることができる。これにより、例えばシェイク振動時に弁体が制限通路を狭窄するのを容易に防ぐことが可能となり、減衰性能の低下を防止することができる。
【００１０】
なお、前記特許文献１に記載された従来の防振装置では、大きな正荷重が入力された場合であっても、制限通路が狭窄されることなく主液室から制限通路に液体が流れ込むため、主液室の正圧は大きくならない。このためその後、大きな負荷重が入力されると主液室の負圧が大きくなってしまい、キャビテーションの発生を抑制するのに限界がある。
また、前記従来の防振装置では、シェイク振動の入力時に入力される負荷重によっても、弁体が撓み変形して制限通路が途中開口を通して主液室に連通され、制限通路の液柱共振周波数が変化してしまい、シェイク振動に対する減衰性能が十分に発揮できなくなる恐れがある。
【００１１】
また、本発明に係る防振装置では、前記仕切部材には、筒状の仕切部材本体が備えられ、前記制限通路は、前記仕切部材本体の外周面に形成されると共にその周方向に沿って延在し、前記主液室及び前記副液室に各別に開口する前記制限通路の両端開口部のうちの少なくとも一端側の開口部は、前記主液室側に開口し、前記被装着部分は、前記仕切部材本体において前記制限通路の一端側の開口部に前記制限通路の流路方向に沿った副液室側から連なる部分に位置していることが好ましい。
【００１２】
この場合、制限通路が、仕切部材本体の外周面に形成されると共にその周方向に沿って延在し、被装着部分が、仕切部材本体において制限通路の一端側の開口部に前記流路方向に沿った副液室側から連なる部分に位置しているので、制限通路の一端側の開口部を通って主液室と副液室との間で液体が流通する際、液体の流れが乱れにくく、液体がスムーズに一端側の開口部を通過し易い。従って、弁体を設けることに起因して、減衰性能が低下するのを抑えることができる。
【００１３】
また、本発明に係る防振装置では、前記弁体は、この弁体及び前記被装着部分を該弁体の板厚方向の両側から挟みこむ固定部材により前記被装着部分に固定され、前記弁体及び前記被装着部分それぞれにおいて、前記表面と反対側の裏面が平坦面に形成されていることが好ましい。
【００１４】
この場合、弁体及び被装着部分それぞれの前記裏面がいずれも平坦面に形成されているので、固定部材の挟み込みによる固定を強固なものとすることができる。これにより、弁体のがたつきを一層抑制することができる。
【００１５】
また、本発明に係る防振装置では、前記固定部材は、リベットであることが好ましい。
【００１６】
この場合、固定部材としてリベットを用いるので、弁体と被装着部分との組み付け精度を確保しつつ、両者を容易に組み付けることができる。なお、制限通路の一端側の開口部が仕切部材本体の内周面に形成されており、且つリベットを、弁体及び被装着部分に対して仕切部材本体の半径方向の外側から打ち込んで組み付けた場合、スペース上の制約が生じにくくなり、両者の組み付けをより容易に行うことができる。
また、リベットを、互いに間隔をあけて複数設けた場合には、弁体を被装着部分に一層強固に固定することができるので、弁体のがたつきをより一層抑制することができる。更にこの場合、弁体及び被装着部分それぞれの前記裏面がいずれも平坦面に形成されているので、各リベットの打ち込み方向を互いに平行にすることができるため、例えば複数のリベットを同時に打ち込むことが容易となる。従って、組み付け作業を容易とした上で、弁体のがたつきを一層抑制することができる。
【発明の効果】
【００１７】
本発明に係る防振装置によれば、弁体の被装着部分への組み付け精度を容易且つ確実に安定させることができる。
【発明を実施するための最良の形態】
【００１８】
以下、本発明に係る防振装置の一実施形態を、図１及び図２を参照して説明する。この防振装置１は、自動車における振動発生部であるエンジンを、振動受部である車体へ支持するエンジンマウントである。
図１に示すように、防振装置１は、外筒２と、柱状に形成され外筒２の径方向の内側に配置された内筒３と、これら両筒２、３を弾性的に連結する弾性体４と、を備えている。
【００１９】
なお、図示の例では、外筒２及び内筒３は、それぞれの中心軸線が共通軸上に位置された状態で配設されている。以下、この共通軸を軸線Ｏと称する。また、図１の紙面において下側をバウンド側、つまり防振装置１を設置した際に静荷重（初期荷重）が入力される方向とし、図１の紙面において上側をリバウンド側、つまり前記静荷重の入力方向の反対側とする。以下の説明においてバウンド側を下側、リバウンド側を上側とそれぞれ称する。
【００２０】
外筒２には、上端部に筒状の大径部５が形成されると共に、下端側に大径部５に対して小径とされた筒状の小径部６が形成されている。大径部５と小径部６との間には、径方向の内側へ縮径された絞り部７が全周に亘って形成されている。小径部６は車体側ブラケット（図示せず）の筒状部の内側に嵌合され、外筒２は車体側ブラケットを介して車体側に固定されている。
【００２１】
内筒３は、軸線Ｏ方向に沿って延在すると共に、外筒２の上方に配置されている。内筒３の下部は、下方に向かうに従い漸次縮径された先細り形状をなしている。また、内筒３の上部には、内筒３の上端面の中心から軸線Ｏ方向の下側に向けて延びるネジ孔３ａが穿設されている。このネジ孔３ａには、エンジン側ブラケット（図示せず）のボルト３ｂが捻じ込まれて固定され、内筒３はエンジン側ブラケットを介してエンジン側に固定される。また、内筒３における軸線Ｏ方向の中間部分には、径方向の外側に突出したアンカ部８が形成されている。
【００２２】
弾性体４は、加硫ゴムからなる弾性体であり、外筒２の上側の開口部を閉塞している。図示の例では、弾性体４の下側部分の外周面が外筒２の大径部５及び絞り部７の内周面に加硫接着されている。また、図示の例では、弾性体４の上側部分には、上方に開口すると共に軸線Ｏ方向の下側に向けて延びる凹部が形成されており、この凹部の内周面が内筒３の下端部の外周面に加硫接着されている。
【００２３】
弾性体４には、外筒２と内筒３との間に配置されたインナーリング９が埋設されている。また、弾性体４の上端部には、アンカ部８を覆うゴム被覆体１０が一体に形成されており、このゴム被覆体１０及びアンカ部８によってリバウンドストッパが形成されている。更に、弾性体４の下端部には、小径部６の内周面を被覆するゴム膜１１が一体的に形成されている。なお、弾性体４としては、ゴム以外にも合成樹脂等からなる弾性体を用いることも可能である。
【００２４】
また、この防振装置１には、外筒２の下側の開口部を閉塞するダイヤフラム１２が備えられている。図示の例では、ダイヤフラム１２は、外筒２の小径部６内に嵌挿されており、筒状に形成されたダイヤフラムリング１３と、ダイヤフラムリング１３の内側を閉塞するダイヤフラムゴム１４と、を備えている。ダイヤフラムゴム１４は、椀状に形成され、その外縁部がダイヤフラムリング１３の内周面に加硫接着されている。また、図示の例では、ダイヤフラム１２は、ダイヤフラムリング１３の下端部と外筒２の小径部６の下端部とが共に全周に亘って径方向の内側に加締められることによって固定されている。なお、ダイヤフラムリング１３の外周面と外筒２の小径部６の内周面との間には、前記ゴム膜１１が介在されている。これにより、ダイヤフラムリング１３と外筒２との嵌合箇所では水密性が確保されている。
【００２５】
また、外筒２の内部には、弾性体４及びダイヤフラム１２によって外部と仕切られ、エチレングリコールや水等の液体が封入された液室１５が設けられている。この液室１５は、外筒２の内部に配設された仕切部材１６によって、上側の主液室１７と下側の副液室１８とに区画されている。
主液室１７は、弾性体４を隔壁の一部とし、且つ弾性体４の変形により内容積が変化する。副液室１８は、隔壁の一部が変形可能に形成されている。本実施形態では、副液室１８の隔壁の一部が前記ダイヤフラム１２で構成されており、このダイヤフラム１２のダイヤフラムゴム１４が液圧の変化に応じて変形し、副液室１８の内容積が拡縮可能となっている。
【００２６】
仕切部材１６は、外筒２の小径部６の内側に嵌合されている。仕切部材１６には、円筒状の仕切部材本体１９が備えられ、この仕切部材本体１９の外周面に、主液室１７と副液室１８とを連通する制限通路２２が形成されている。更に、仕切部材１６は、仕切部材本体１９の下方に配設されたメンブラン２０と、このメンブラン２０を収容するメンブラン収容部材２１と、を備えている。
【００２７】
制限通路２２は、図１及び図２に示すように、仕切部材本体１９の周方向に沿って延在している。この制限通路２２は、仕切部材１６が外筒２の内側に嵌合されることで、仕切部材本体１９の半径方向の外側から前記ゴム膜１１によって閉塞されている。また、図２に示すように、主液室１７及び副液室１８に各別に開口する制限通路２２の両端開口部２４、２５のうちの少なくとも一端側の開口部は、仕切部材本体１９の内周面に形成されている。図示の例では、主液室１７に開口する主液室側連通口（制限通路の一端側の開口部）２４が、主液室１７の隔壁の一部を構成する仕切部材本体１９の内周面に形成され、副液室１８に開口する副液室側開口部２５が、仕切部材本体１９の底板部１９ａに形成されている。
【００２８】
前述した制限通路２２は、車両におけるシェイク振動に対応するシェイクオリフィスであり、制限通路２２の流路長及び流路断面積（すなわち流路抵抗）は、シェイク振動の周波数（例えば、８〜１２Ｈｚ程度）において液柱共振が生じるように設定（チューニング）されている。
また、仕切部材本体１９の底板部１９ａには、複数の貫通孔２６が形成されている。
【００２９】
メンブラン収容部材２１は、図１に示すように、有底筒状に形成されて軸線Ｏと同軸に配設される共に、その周壁部２１ａの上端に径方向の外側に向けてフランジ部２１ｂが延設されている。図示の例では、このフランジ部２１ｂが、仕切部材本体１９の底板部１９ａの外周部にビス等で固定されている。また、フランジ部２１ｂにおいて仕切部材本体１９の副液室側開口部２５と対応する部分に、図示されない貫通孔が形成されている。また、メンブラン収容部材２１の底板部２１ｃには、複数の貫通孔２７が形成されている。
メンブラン２０は、弾性変形可能な円盤状のゴム板であり、仕切部材本体１９の底板部１９ａと、メンブラン収容部材２１の周壁部２１ａと、メンブラン収容部材２１の底板部２１ｃと、で囲まれた空間に収容されている。
【００３０】
また、仕切部材１６には、図２に示すように、主液室側開口部２４に配置された板状の弁体２８が設けられている。図示の例では、弁体２８は、ステンレス等の金属薄板からなる板バネであり、その板厚方向に弾性的に撓み変形可能となっている。また、弁体２８は、その長さ方向の一方側が、仕切部材本体１９の被装着部分３０に固定されて、その長さ方向の他方側が、主液室１７の液圧を受けることで前記半径方向に向けて弾性的に撓み変形するように構成されている。
【００３１】
本実施形態では、前記被装着部分３０は、仕切部材本体１９において主液室側開口部２４に制限通路２２の流路方向に沿った副液室１８側から連なる部分に位置している。また、図示の例では、この被装着部分３０において前記半径方向の内側を向く面に、弁体２８の前記長さ方向における一方側に位置する部分である固定部２９が固定されている。なお、被装着部分３０において前記半径方向の内側を向く面は、仕切部材本体１９の内周面の一部となっている。
【００３２】
また、弁体２８における前記長さ方向の他方側に位置する部分である可動部３１は、前記半径方向の外側に向けて湾曲されて、仕切部材１６の平面視において円弧形状をなしており、被装着部分３０から主液室側開口部２４側に向けて延在されている。図示の例では、可動部３１は、防振装置１に振動が入力されていない通常時には、主液室側開口部２４を開放する開位置に配置されており、正荷重が入力された場合には、図示２点鎖線に示すように、制限通路２２における前記流路方向の主液室１７側の端部を狭窄しうるように、前記半径方向の外側に向けて撓み変形する。
【００３３】
そして、本実施形態では、固定部２９及び被装着部分３０それぞれにおいて、互いに当接する各表面３２、３３がそれぞれ平坦面に形成されている。以下では、固定部２９における前記表面を装着面３２と称し、被装着部分３０における前記表面を被装着面３３と称する。図示の例では、装着面３２及び被装着面３３は、軸線Ｏの垂直面に対して垂直な平面に形成されている。
【００３４】
また、固定部２９及び被装着部分３０それぞれにおいて、装着面３２若しくは被装着面３３と反対側の裏面が平坦面に形成されている。以下では、固定部２９における装着面３２の裏面を第１固定面３４と称し、被装着部分３０における被装着面３３の裏面を第２固定面３５と称する。なお、第２固定面３５は、制限通路２２を画成する壁面の一部となっている。図示の例では、固定部２９は装着面３２と第１固定面３４とが互いに平行に形成される共に、被装着部分３０は被装着面３３と第２固定面３５とが互いに平行な板状に形成されており、その結果、第１固定面３４と第２固定面３５とが互いに平行になっている。
【００３５】
また、弁体２８は、その固定部２９及び被装着部分３０を該弁体２８の板厚方向の両側から挟みこむリベット（固定部材）３６により被装着部分３０に固定されている。図示の例では、リベット３６は、前記流路方向に互いに間隔をあけて複数（図示の例では２つ）設けられている。また、全てのリベット３６の打ち込み方向は、第１固定面３４及び第２固定面３５に直交する方向となっている。
【００３６】
次に、上記した構成からなる防振装置１において、仕切部材本体１９に弁体２８を組み付ける方法の一例について説明する。以下では、予め形成された仕切部材本体１９及び弁体２８を、仕切部材本体１９を外筒２に嵌合する前に組み付ける場合について説明する。
まず、仕切部材本体１９の被装着部分３０に弁体２８の固定部２９を、装着面３２と被装着面３３とが互いに当接するように配置する。この際、固定部２９及び被装着部分３０それぞれには、第１固定面３４若しくは第２固定面３５に直交する方向（前記板厚方向）にリベット３６を挿通させるリベット挿通孔が、打ち込むリベット３６に対応する数、対応する位置に予め形成されている。そして、装着面３２と被装着面３３とを互いに当接させながら、固定部２９に形成されたリベット挿通孔を被装着部分３０に形成されたリベット挿通孔に対して位置決めして、固定部２９を被装着部分３０に配置する。なお、前記リベット挿通孔は、固定部２９を被装着部分３０に配置した後に形成しても良い。
【００３７】
次に、リベット３６を打ち込み、被装着部分３０に弁体２８を固定する。この際、例えば図示しない打込治具等を用いて、リベット３６を、被装着部分３０において前記半径方向の外側を向く面である第２固定面３５側から、制限通路２２における前記半径方向の外側を向いた開放部分を通して打ち込んで組みつけてもよい。この場合、作業時にスペース上の制約が生じにくくなり、両者の組み付けを容易に行うことができる。また、全てのリベット３６を同時に打ち込んでもよい。この場合、第１固定面３４及び第２固定面３５がいずれも平坦面に形成されているので、各リベット３６の打ち込み方向を互いに平行にすることができるため、同時に打ち込むことが容易となる。
以上により、仕切部材本体１９に弁体２８を組み付けることができる。
【００３８】
次に、前述した構成からなる防振装置１の作用について説明する。
この防振装置１は、内筒３がエンジン側ブラケット（図示せず）を介してエンジン（図示せず）に連結されると共に、外筒２が車体側ブラケット（図示せず）を介して車体（図示せず）に連結されることにより、エンジンと車体との間に介装される。
この際、防振装置１には下向きの静荷重（エンジン荷重）が作用し、内筒３が下方に移動して弾性体４が下方に向けて弾性変形し、この弾性体４の弾性変形に伴い主液室１７の内容積が縮小して主液室１７の液圧が上昇する。このとき、主液室１７と副液室１８との間に内圧差が生じ、その内圧差により主液室１７内の液体が制限通路２２や前述の貫通孔２６、２７を通って副液室１８に流入し、その結果、ダイヤフラム１２が下方に膨出して副液室１８の内容積が増大する。なお、以上の過程で弁体２８は変形せず、前記開位置に位置している。
【００３９】
そして、前述したエンジンがアイドル回転すると、その振動がエンジン側ブラケットを介して防振装置１の内筒３に伝達され、防振装置１には、小振幅かつ高周波数域（例えば１３Ｈｚ〜４０Ｈｚ）のアイドル振動が入力される。
この場合、液室１５内の液体は、制限通路２２を流通するのではなく、メンブラン２０がメンブラン収容部材２１内で入力振動に応じて上下に振動させられることで、前述の貫通孔２６、２７を通って主液室１７と副液室１８との間を流通する。これにより、主液室１７の内容積が変動するものの、主液室１７の液圧変動、つまり防振装置１の動的ばね定数の変動が抑えられ、車体側に伝達される振動が低減される。このとき、弁体２８は、前記開位置で停止しているか、或いは、制限通路２２の特性に影響が出ない程度に微振動する。
【００４０】
また、前述したエンジンが稼動すると、その振動がエンジン側ブラケットを介して防振装置１の内筒３に伝達され、防振装置１には、比較的周波数が低い振動、つまり前述した高周波数域よりも大振幅で小さい周波数（例えば８Ｈｚ〜１５Ｈｚ）のシェイク振動が入力される。
この場合、シェイク振動により内筒３が上方及び下方に交互に繰り返し移動するのに伴い、液室１５の液圧が変動し、主液室１７と副液室１８との間に内圧差が生じる。この際、メンブラン２０は、仕切部材本体１９の底板部１９ａ又はメンブラン収容部材２１の底板部２１ｃに密接した状態となり、仕切部材本体１９の底板部１９ａの貫通孔２６又はメンブラン収容部材２１の底板部２１ｃの貫通孔２７が閉塞される。これにより、液室１５内の液体は、制限通路２２のみを通って主液室１７と副液室１８との間で往来する。
このとき、制限通路２２が、仕切部材本体１９の外周面に形成されると共にその周方向に沿って延在し、被装着部分３０が、仕切部材本体１９において主液室側開口部２４に前記流路方向に沿った副液室１８側から連なる部分に位置しているので、液体の流れが乱れにくく、液体がスムーズに主液室側開口部２４を通過し易い。従って、弁体２８を設けることに起因して、減衰性能が低下するのを抑えることができる。
【００４１】
また、制限通路２２は、その流路長及び流路断面積がシェイク振動に対応するようにチューニングされているので、制限通路２２を流通する液体に共振現象（液柱共振）が生じてシェイク振動が減衰され、車体側に伝達される振動が低減される。このとき、弁体２８は、前記開位置で停止しているか、或いは制限通路２２の特性に影響が出ない程度に微振動する。これにより、主液室１７と制限通路２２との間における液体の流通を阻害することがないので、制限通路２２の液柱共振を所定周波数で発生させることが可能になる。
【００４２】
また、路面の凹凸等により、エンジンと車体とが大きく相対変位した場合、防振装置１に、シェイク振動よりも大振幅の大振動が入力されることがある。例えば、内筒３が外筒２に対して相対的に下方に大きく移動した場合、防振装置１に正荷重が入力され、主液室１７の内容積が縮小されて主液室１７の液圧が急激に上昇する。
この場合、弁体２８において前記半径方向の内側を向く面に主液室１７の液圧が作用し、図２の二点鎖線で示すように、弁体２８の可動部３１が前記半径方向の外側に向かって弾性的に撓み変形する。すると、この可動部３１と、制限通路２２を画成する前記半径方向の外側の周壁部である前記ゴム膜１１との間隔が狭くなり、制限通路２２が狭窄される。これにより、制限通路２２の流路抵抗が増加するため、制限通路２２が目詰まりした状態になり、主液室１７から制限通路２２に液体が流入し難くなるので、主液室１７の正圧が大きくなる。なおこの際、狭窄された制限通路２２は、可動部３１の先端と前記ゴム膜１１との隙間が最も狭窄され、前記流路方向の副液室１８側に向かうに従い漸次拡幅されている。
このように、弁体２８は、制限通路２２を閉塞することなく狭窄するので、弁体２８が外筒２の内周面側に位置する前記ゴム膜１１に衝突することがなく、この衝突に起因した異音の発生及び弁体２８の被装着部分３０に対するがたつきの発生を防ぐことができる。
【００４３】
その後、内筒３が外筒２に対して相対的に上方に大きく移動すると、防振装置１に負荷重が入力され、主液室１７の内容積が拡大され、主液室１７の液圧が急激に低下する。
この際、前述したように正荷重が加えられたときに弁体２８により制限通路２２が狭窄されたことで主液室１７の正圧が大きくなっているため、主液室１７の液圧が急激に低下しても主液室１７の負圧が大きくなるのを抑えることが可能となり、キャビテーションが生じるのを抑制することができる。しかも、主液室１７の液圧が低下すると、弁体２８の可動部３１には、弾性復元力と共に主液室１７の負圧が作用するため、この可動部３１は、元の開位置よりも主液室側開口部２４から前記半径方向の内側に離間する。これにより、液体が副液室１８から制限通路２２を通って主液室１７に流入しやすくなり、主液室１７の液圧低下がより一層抑えられる。
【００４４】
以上に示した防振装置１によれば、装着面３２及び被装着面３３がいずれも平坦面に形成されているので、弁体２８の被装着部分３０への組み付け精度を容易かつ確実に安定させることができる。従って、弁体２８が被装着部分３０に対してがたつくのを抑制することが可能になり、弁体２８が撓み変形したときの姿勢を長期に亘って安定させることができる。
また、弁体２８の撓み変形時の姿勢が安定することから、弁体２８による制限通路２２に対する狭窄の程度を安定させることが可能となり、弁体２８が制限通路２２を狭窄する液圧を高精度にすることができる。これにより、例えばシェイク振動時に弁体２８が制限通路２２を狭窄するのを容易に防ぐことが可能となり、減衰性能の低下を防止することができる。
【００４５】
また、第１固定面３４及び第２固定面３５がいずれも平坦面に形成されているので、リベット３６の挟み込みによる固定を強固なものとすることができる。これにより、弁体２８のがたつきを一層抑制することができる。加えて、リベット３６を用いるので、弁体２８と被装着部分３０との組み付け精度を確保しつつ、両者を容易に組み付けることができる。
また、リベット３６を、互いに間隔をあけて複数設けているため、弁体２８を被装着部分３０に一層強固に固定することができるので、弁体２８のがたつきをより一層抑制することができる。
【００４６】
なお、本発明の技術的範囲は上記実施形態に限定されるものではなく、本発明の趣旨を逸脱しない範囲において種々の変更を加えることが可能である。
例えば、上記実施形態では、主液室１７の隔壁の一部を構成する仕切部材本体１９の内周面に主液室側開口部２４が形成され、弁体２８が主液室１７内に設けられた構成を示したが、これに代えて、仕切部材本体１９の内周面が副液室１８の隔壁の一部を構成し、この内周面に副液室側開口部２５が形成され、弁体２８が副液室１８内に設けられた構成を採用してもよいし、或いは、仕切部材本体１９の内周面を軸線Ｏ方向に沿って２つに区画し、これら区画された各部分に、主液室１７及び副液室１８それぞれの隔壁の一部を構成させると共に、主液室側開口部２４、副液室側開口部２５を各別に形成して、主液室１７及び副液室１８の双方に弁体２８を設けてもよい。
【００４７】
また、上記実施形態では、弁体２８は、被装着部分３０において前記半径方向の内側を向く面（被装着面３３）に固定されているとしたが、被装着部分３０において前記半径方向の外側を向く面（第２固定面３５）に固定されていても構わない。この構成において、弁体２８の可動部３１は、制限通路２２において前記流路方向の主液室１７側の周端部内に位置させても良いし、或いは前記半径方向の内側に向けて屈曲させつつ仕切部材本体１９の周方向に沿って延在させて、主液室側開口部２４から主液室１７内に突出させて位置させても良い。
【００４８】
また、上記実施形態では、被装着部分３０は、仕切部材本体１９において主液室側開口部２４に前記流路方向に沿った副液室１８側から連なる部分に位置しているとしたが、被装着部分３０の位置はこれに限られない。
また、上記実施形態では、弁体２８を仕切部材１６の被装着部分３０に固定するための固定部材としてリベット３６を用いたが、ボルト及びロックナットを用いても良い。
また、上記実施形態では、リベット３６が複数設けられているものとしたが、一つでも構わない。
また、上記実施形態では、第１固定面３４及び第２固定面３５がいずれも平坦面であるとしたが、平坦面でなくてもよい。
【００４９】
また、上記実施形態では、正荷重が入力されたときに弁体２８の可動部３１が制限通路２２を狭窄する構成を示したが、これに限らず例えば、弁体２８の可動部３１を、前記ゴム膜１１及び仕切部材本体１９の内周面等に当接させることで制限通路２２を閉塞する構成としても良い。
また、上記実施形態では、弁体２８は、防振装置１に正荷重が入力された場合に制限通路２２を狭窄しうる正圧弁として機能しているが、これに限られない。例えば、大振動が入力されていない状態において制限通路２２を狭窄し、防振装置１に負荷重が入力された場合に制限通路２２を広げる負圧弁として機能する弁体２８でもよい。
また、上記実施形態では、防振装置１として圧縮式を示したが、主液室１７が下側に位置し且つ副液室１８が上側に位置するように取り付けられて用いられる吊り下げ式の防振装置１にも本発明は適用可能である。
【００５０】
また、本発明に係る防振装置１は、車両のエンジンマウントを製造する場合に限定されるものではなく、エンジンマウント以外に防振装置１に適用することも可能である。例えば、建設機械に搭載された発電機のマウントにも適用してもよく、或いは、工場等に設置される機械のマウントにも適用してもよい。
【００５１】
また、上記実施形態では、仕切部材１６に制限通路２２が形成されているが、これに限られず、仕切部材１６以外に制限通路２２が形成されていても良い。例えば、外筒２の一部に溝加工して制限通路２２を形成しても良い。また、制限通路２２を仕切部材１６に形成する場合であっても、制限通路２２を仕切部材本体１９の外周面とは異なる場所に形成しても良い。
また、上記実施形態では、仕切部材１６は、筒状の仕切部材本体１９を備えるものとしたが、これに限られない。例えば、仕切部材本体１９は板状や柱状等であっても良い。
【００５２】
その他、本発明の趣旨に逸脱しない範囲で、上記実施形態における構成要素を周知の構成要素に置き換えることは適宜可能であり、また、上記した変形例を適宜組み合わせてもよい。
【図面の簡単な説明】
【００５３】
【図１】本発明に係る一実施形態の防振装置の縦断面図である。
【図２】図１に示す防振装置に設けられた仕切部材の横断面図である。
【符号の説明】
【００５４】
１  防振装置
２  外筒
３  内筒
４  弾性体
１６  仕切部材
１７  主液室
１８  副液室
１９  仕切部材本体
２２  制限通路
２４  主液室側開口部（一端側の開口部）
２５  副液室側開口部（開口部）
２８  弁体
３０  被装着部分
３２  装着面（弁体の表面）
３３  被装着面（被装着部分の表面）
３４  第１固定面（弁体の裏面）
３５  第２固定面（被装着部分の裏面）
３６  リベット（固定部材）
【図１】
2010116962.tif 000003
【図２】
2010116962.tif 000004